【事件の表示】
　特願２０１７−　　２８９７「端末装置，基地局装置，通信方法および集積回路」拒絶査定不服審判事件〔平成２９年　３月３０日出願公開，特開２０１７−　６３５０８〕について，次のとおり審決する。
【結　論】
　本件審判の請求は，成り立たない。
【理　由】
１　手続の経緯
　本願は，平成２４年５月１８日の出願である特願２０１２−１１４４８８号の一部を，平成２９年１月１１日に新たな特許出願としてものであって，平成３０年３月３０日付けで拒絶理由が通知され，同年５月２５日に意見書及び手続補正書が提出され，同年６月２８日付けで拒絶査定がされ，これに対し，同年１０月３日に拒絶査定不服審判が請求され，同時に手続補正がされ，その後，当審において令和元年９月１２日付けで拒絶理由（以下，「当審拒絶理由」という。）が通知され，同年１１月１５日に意見書及び手続補正書が提出されたものである。
２　本願発明
　本願の請求項に係る発明は，令和元年１１月１５日にされた手続補正によって補正された特許請求の範囲の請求項１〜１０に記載された事項により特定されるものであるところ，その請求項１に係る発明（以下，「本願発明」という。）は以下のとおりのものと認める。
「　基地局装置と通信する端末装置であって，
　第１の報知情報を伝送する第１の物理チャネルであって，限定された帯域内に配置される第１の物理チャネルを受信し，
　拡張物理下りリンク制御チャネル用共通探索領域内の拡張物理下りリンク制御チャネルをモニタし，
　前記拡張物理下りリンク制御チャネルのＯＦＤＭシンボルの開始位置である第１の開始位置は，前記第１の報知情報により指示され，
　前記拡張物理下りリンク制御チャネルは，ページングに関する拡張物理下りリンク制御チャネルであり，
　前記第１の物理チャネルが配置される前記限定された帯域は，連続した帯域である，
　端末装置。」
３　拒絶の理由
　当審拒絶理由の概要は，「（進歩性）この出願の下記の請求項に係る発明は，その出願前に日本国内又は外国において頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。」というものであり，請求項１に対して，以下の３．が主引用例として，４．，５．が周知例として，引用されている。
　　　　　　　　　　　　＜引用文献等一覧＞
３．Fujitsu, Motivation, Requirements and Design of ePCFICH, 3GPP TSG RANWG1 Meeting #68bis R1-121202,URL:http://www.3gpp.org/ftp/TSG_RAN/WG1_RL1/TSGR1_68b/Docs/R1-121202.zip，２０１２年３月２０日（アップロード）
４．米国特許出願公開第２０１０／０１２０４４２号明細書
５．米国特許出願公開第２０１２／０２６３１１８号明細書
４　引用発明等
（１）引用発明
　当審拒絶理由に引用されたFujitsu, Motivation, Requirements and Design of ePCFICH（［当審仮訳］：ｅＰＣＦＩＣＨのモチベーション，要件及び設計）, 3GPP TSG RAN WG1 Meeting #68bis R1-121202,URL:http://www.3gpp.org/ftp/TSG_RAN/WG1_RL1/TSGR1_68b/Docs/R1-121202.zip，２０１２年３月２０日（アップロード）（以下，「引用例３」という。）には，図面とともに以下の事項が記載されている。
「2.1.　Motivation of ePCFICH
If the resource of ePDCCH is semi-statically configured, there is a risk that some of the predefined resource for ePDCCH would be wasted because of the variation in number of DCI messages required with subframe to subframe dynamic scheduling. That is, a different total amount of ePDCCH resources is needed for different subframes. To reduce the resource wastage, any completely unused PRBs in the resources configured for ePDCCH could be scheduled for PDSCH transmission.（中略）
On the other hand, it was proposed by companies [1][2] that the resource of ePDCCH could be dynamically configured to the UE. This dynamically configuration could be through a newly defined DCI,which is transmitted in the conventional PDCCH common search space, or through a newly defined channel, which is transmitted in the data region and may be called ePCFICH. By doing so, the resource of ePDCCH could be adapted to the dynamic DCI loading in each subframe and then the resource wastage is significantly reduced. In our opinion, the first option has the benefit of reduced control signaling overhead, since the resource of PDCCH CSS is reused. The other option however, is useful at least for some particular scenarios, for example for large bias UEs in heterogeneous networks, the UE may have difficulty in correctly detecting the information contained in PDCCH. 
Based on the above observations, we have the following proposals,
Proposal 1: The dynamic configuration of ePDCCH resource could help to reduce the resource wastage, particularly for distributed ePDCCH
Proposal 2: ePCFICH is supported to dynamically convey the size and/or position of at least the distributed ePDCCH resources.
2.2.　Requirements and design of ePCFICH
As analyzed in above, ePCFICH could be used to indicate the resource for distributed transmission. The distributed transmission is appropriate when the accurate channel state information is not available at the eNB side or the DCI is targeted for reception by multiple UEs. The scenarios include the ePDCCH transmission from high speed UEs and the DCIs transmitted in a common search space, etc [3]. Therefore if CSS is supported to be transmitted through ePDCCH, the ePCFICH should be able to indicate the resource for “eCSS” and UE specific search space with distributed transmission, respectively. Further, if the eCSS and UE specific search space could be jointly interleaved either by eCCE (or part eCCE) level, or REG level, to obtain better frequency diversity gain, the ePCIFCH could indicate a single set of resources accommodate both eCSS and USSS. 
Proposal 3: If eCSS supported, the ePCFICH could indicate a single (distributed) resource for eCSS and USSS.」（１ページ１７行〜２２行，同ページ３１行〜２ページ２２行）
（［当審仮訳］：
２．１．　ｅＰＣＦＩＣＨのモチベーション
　ｅＰＤＣＣＨのリソースが準静的に構成されている場合，サブフレームからサブフレームへの動的スケジューリングで必要なＤＣＩメッセージの数の変動により，ｅＰＤＣＣＨの事前定義されたリソースの一部が無駄になるリスクがある。つまり，異なるサブフレームには異なる合計量のｅＰＤＣＣＨリソースが必要である。リソースの浪費を減らすために，ｅＰＤＣＣＨ用に設定されたリソースのうち完全に未使用のＰＲＢをＰＤＳＣＨ送信用にスケジュールできる。（中略）
　一方，
ｅＰＤＣＣＨのリソースがＵＥに対して動的に構成され得る
この動的な構成は，従来のＰＤＣＣＨ共通探索スペースで送信される新しく定義されたＤＣＩを介して，またはデータ領域で送信されｅＰＣＦＩＣＨと呼ばれることがある新しく定義されたチャネルを介して行われる
　上記の観察に基づいて，次の提案がある。
提案１：ｅＰＤＣＣＨリソースの動的構成は，特に分散されたｅＰＤＣＣＨの場合，リソースの浪費を削減するのに役立つ。
提案２：
ｅＰＣＦＩＣＨが，少なくとも分散されたｅＰＤＣＣＨリソースのサイズ及び／又は位置を動的に伝達するためにサポートされる。
２．２．　ｅＰＣＦＩＣＨの要件及び設計
　上記で分析したように，分散された送信のリソースを示すのにｅＰＣＦＩＣＨが使用され得る。分散された送信は，正確なチャネル状態情報がｅＮＢ側で利用できない場合やＤＣＩが複数のＵＥによる受信の対象となる場合に適している。シナリオは，高速ＵＥからのｅＰＤＣＣＨ送信や，共通探索スペースで送信されるＤＣＩなどを含む[3]。したがって，
ＣＳＳがｅＰＤＣＣＨを介して送信されるようにサポートされている場合，ｅＰＣＦＩＣＨは，「ｅＣＳＳ」及び分散された送信のＵＥ固有探索スペースのリソースをそれぞれ示すことができる
提案３：
ｅＣＳＳがサポートされている場合，ｅＰＣＦＩＣＨはｅＣＳＳ及びＵＳＳＳの単一（分散）リソースを示すことができる。
　引用例３の上記記載及びこの分野における当業者の技術常識を考慮すると次のことがいえる。
　上記２．１の「一方，ｅＰＤＣＣＨのリソースがＵＥに対して動的に構成され得ることが複数の企業から提案された[1] [2]。この動的な構成は，・・・データ領域で送信されｅＰＣＦＩＣＨと呼ばれることがある新しく定義されたチャネルを介して行われる。」との記載によれば，ＵＥに対して，ｅＰＤＣＣＨのリソースの動的な構成が，ｅＰＣＦＩＣＨを介して行われるといえるから，ＵＥがｅＰＣＦＩＣＨを受信することは明らかである。
　また，上記２．１の提案２の「ｅＰＣＦＩＣＨが，少なくとも分散されたｅＰＤＣＣＨリソースのサイズ及び／又は位置を動的に伝達するためにサポートされる。」との記載によれば，ｅＰＣＦＩＣＨは，ｅＰＤＣＣＨリソースの位置を示すものといえる。
　そして，上記２．２の「ＣＳＳがｅＰＤＣＣＨを介して送信されるようにサポートされている場合，ｅＰＣＦＩＣＨは，「ｅＣＳＳ」及び分散された送信のＵＥ固有探索スペースのリソースをそれぞれ示すことができる」との記載及び「提案３：ｅＣＳＳがサポートされている場合，ｅＰＣＦＩＣＨはｅＣＳＳ及びＵＳＳＳの単一（分散）リソースを示すことができる。」との記載によれば，共通探索スペース（ＣＳＳ）がｅＰＤＣＣＨを介して送信されるようにサポートされている場合，ｅＰＤＣＣＨの共通探索スペースをｅＣＳＳと称し，ｅＰＣＦＩＣＨはｅＣＳＳ及びＵＳＳＳのリソースを示すといえる。
　ここで，ＵＥがｅＰＤＣＣＨの共通探索スペースであるｅＣＳＳ及びＵＥ固有探索スペースであるＵＳＳＳを探索して，これらの探索スペースで送信される下りリンク制御情報ＤＣＩをモニタすることは技術常識である。
　以上を総合すると，引用例３には以下の発明（以下，「引用発明」という。）が記載されているものと認められる。
「ｅＰＤＣＣＨリソースの位置を示すｅＰＣＦＩＣＨを受信し，ここで，ＣＳＳがｅＰＤＣＣＨを介して送信されるようにサポートされている場合，ｅＰＣＦＩＣＨはｅＣＳＳ及びＵＳＳＳのリソースを示す，
ｅＣＳＳを探索してＤＣＩをモニタする，ＵＥ。」
（２）周知技術１
　同じく当審拒絶理由に引用された米国特許出願公開第２０１０／０１２０４４２号明細書（以下，「引用例４」という。）には，図面とともに以下の事項が記載されている。
ア　「[0038]　（中略）Similarly a common search space is also defined that is valid for all UEs and might be used to schedule broadcast downlink information like Paging, or Random access response, or other purposes.」
（［当審仮訳］：
[0038]　（中略）同様に，共通探索空間はまた，すべてのＵＥに有効であると定義され，ページング，ランダムアクセス応答などの目的のためのブロードキャストダウンリンク情報をスケジュールするために使用することができる。）
　同じく当審拒絶理由に引用された米国特許出願公開第２０１２／０２６３１１８号明細書（以下，「引用例５」という。）には，図面とともに以下の事項が記載されている。
イ　「[0041]　（中略）Similarly, a common search space is also defined that is valid for all UEs being served by the same eNB and might be used to schedule broadcast downlink information like Paging, Random Access Response, or others.」
（［当審仮訳］：
[0041]　（中略）同様に，共通探索空間はまた，同じｅＮＢによってサービスされているすべてのＵＥに有効であると定義され，ページング，ランダムアクセス応答などのブロードキャストダウンリンク情報をスケジュールするために使用することができる。）
　上記ア，イの記載及びこの分野における当業者の技術常識を考慮すると，
「共通探索空間は，ページング，ランダムアクセス応答などのブロードキャストダウンリンク情報をスケジュールするために使用される。」ことは周知技術であると認められる（以下，「周知技術１」という。）。
（３）周知技術２
　本願の出願日以前に電気通信回線を通じて公衆に利用可能となったEricsson, ST Ericsson, On Downlink control signalling enhancements（［当審仮訳］：ダウンリンク制御シグナリングの拡張について）, 3GPP TSG-RAN WG1 #66 Tdoc R1-112292,　 URL:http://www.3gpp.org/ftp/TSG_RAN/WG1_RL1/TSGR1_66/Docs/R1-112292.zip，２０１１年８月１６日（アップロード）には，以下の事項が記載されている。
ア　「2　Improved resource utilization
The R-PDCCH starts at OFDM symbol #3 because a relay node needs to transmit L1/L2 control channels (first one or two OFDM symbols of an MBSFN subframe) in the relay cell and afterwards it needs to switch from transmit to receive mode. 
An ePDCCH could start earlier. Obviously,it could start at symbols #1 or #2 if the L1/L2 control region occupies only 1 or 2 OFDM symbols respectively. Independent of the control region size, the ePDCCH could start at the very first symbol #0 if the L1/L2 control region is empty, i.e. no actual PDCCH / PHICH transmission in that subframe. In hetNets deployments, the ePDCCH could also start at symbol #0 if it is transmitted from a low power node to a UE, which is close to the low power node and which is far from the macro base station. In that case the PDCCH from the macro does not interfere with the ePDCCH from the low power node. 
The indication of the starting point should not be based on the PCFICH. As discussed above, the PCFICH might indicate the wrong value. Furthermore, the PCFICH is a CRS-based control channel. Depending the DMRS-based ePDCCH on a CRS-based control channel would counteract the advantages of a DMRS-based control channel. 
Proposal 1:
The start symbol of the ePDCCH should be flexible (ranging from symbol #0 to #4) and independent of any CRS-based control channel」（１／２ページ１５〜３２行）
（［当審仮訳］：
２　リソース使用率の改善
　リレーノードが，リレーセルでＬ１／Ｌ２制御チャネル（ＭＢＳＦＮサブフレームの最初の１つ又は２つのＯＦＤＭシンボル）を送信する必要があり，その後，送信モードから受信モードに切り替える必要があるため，Ｒ−ＰＤＣＣＨはＯＦＤＭシンボル＃３から開始する。
　ｅＰＤＣＣＨはより早く開始できる。Ｌ１／Ｌ２制御領域がそれぞれ１つ又は２つのＯＦＤＭシンボルのみを占有する場合，ｅＰＤＣＣＨは明らかにシンボル＃１又は＃２から開始できる。制御領域のサイズに関係なく，Ｌ１／Ｌ２制御領域が空の場合，つまりそのサブフレームに実際のＰＤＣＣＨ／ＰＨＩＣＨ送信がない場合，ｅＰＤＣＣＨは最初のシンボル＃０から開始できる。ｈｅｔＮｅｔｓ展開では，低電力ノードに近くマクロ基地局から遠い場合ＵＥにｅＰＤＣＣＨが低電力ノードから送信される場合も，ｅＰＤＣＣＨはシンボル＃０から開始することができる。その場合，マクロからのＰＤＣＣＨは，低電力ノードからのｅＰＤＣＣＨと干渉しない。
　
開始点の表示はＰＣＦＩＣＨに基づかないようにすべきである。
提案１：
　
ｅＰＤＣＣＨの開始シンボルは柔軟であるべきであり（記号＃０〜＃４の範囲）
　同じく本願の出願日以前に電気通信回線を通じて公衆に利用可能となったEricsson, ST Ericsson, On enhanced PDCCH design（［当審仮訳］：拡張されたＰＤＣＣＨ設計について）, 3GPP TSG-RAN WG1 #66bis R1-112928,　 URL:http://www.3gpp.org/ftp/TSG_RAN/WG1_RL1/TSGR1_66b/Docs/R1-112928.zip，２０１１年１０月４日（アップロード）には，以下の事項が記載されている。
イ　「2.1.3　ePDCCH starting position
The starting symbol of the ePDCCH should be flexible in the range between symbol #0 and #4, since this provides means to balance the control channel utilization between PDCCH and ePDCCH depending on the use case. Using starting symbol #0 (i.e. a carrier without a PDCCH) is useful for low power nodes in HetNet where all UEs can receive the control channel without macro interference. It is then also important that the starting point is not based on the PCFICH as it might indicate the wrong value and furthermore it may also be interfered by the ePDCCH in the case the starting symbol is #0. Starting symbol #0 is also useful for additional carrier types which rely solely on the ePDCCH for control signaling. Additionally, CRS is needed for PCFICH detection and since the ePDCCH is expected to be a DMRS based control channel, making ePDCCH resource definitions dependent on the reception of a cell specific CRS violates the UE centric approach of the ePDCCH.
　・The ePDCCH start symbol position is flexible and configurable in the range between symbol #0 and #4 where the signaling of the position is independent of any CRS-based control channel」（３葉７〜１８行）
（［当審仮訳］：
２．１．３　 ｅＰＤＣＣＨの開始位置
　ｅＰＤＣＣＨの開始シンボルは，ユースケースに応じてＰＤＣＣＨとｅＰＤＣＣＨの間で制御チャネルの使用率をバランスさせる手段を提供するため，シンボル＃０〜＃４の範囲で柔軟であるべきである。開始シンボル＃０（つまりＰＤＣＣＨのないキャリア）を使用すると，すべてのＵＥがマクロ干渉なしで制御チャネルを受信できるＨｅｔＮｅｔの低電力ノードに役立つ。開始点がＰＣＦＩＣＨに基づいていないことも重要である。ＰＣＦＩＣＨは間違った値を示している可能性があり，さらに開始記号が＃０の場合にｅＰＤＣＣＨによって干渉される可能性もある。開始シンボル＃０は，制御シグナリングをｅＰＤＣＣＨのみに依存する追加のキャリアタイプにも役立つ。さらに，ＰＣＦＩＣＨの検出にはＣＲＳが必要である。ｅＰＤＣＣＨはＤＭＲＳベースの制御チャネルであると予想されるため，ｅＰＤＣＣＨリソース定義をセル固有のＣＲＳの受信に依存させると，ｅＰＤＣＣＨのＵＥ中心アプローチに反する。
　
・ｅＰＤＣＣＨ開始シンボルの位置は柔軟であってシンボルの０〜４の範囲で構成でき，位置のシグナリングはＣＲＳベースの制御チャネルとは無関係である。
　同じく本願の出願日以前に電気通信回線を通じて公衆に利用可能となったEricsson, ST Ericsson, On multiplexing of PDSCH with enhanced control channels（［当審仮訳］：拡張された制御チャネルを有するＰＤＳＣＨの多重化について）,3GPP TSG-RAN WG1 #68 R1-120077,　URL:http://www.3gpp.org/ftp/TSG_RAN/WG1_RL1/TSGR1_68/Docs/R1-120077.zip，２０１２年１月３１日（アップロード）には，以下の事項が記載されている。
ウ　「3.　Configuration of enhanced CCH resources 
（中略）
The starting symbol of the ePDCCH should be flexible in the range between symbol #0 and #4, since this provides means to balance the control channel utilization between PDCCH and ePDCCH depending on the use case. The starting symbol should be UE specific signaled using RRC.  Using starting symbol #0 (i.e. on a carrier without a PDCCH) is useful for connection to low power nodes in HetNet scenarios where all UEs can receive the control channel without macro interference. 
It is important that the starting symbol is not based on the PCFICH as it might indicate the wrong value e.g. in a HetNet cell range expansion zone. The PCFICH may also be interfered by an ePDCCH transmission in the case the starting symbol is #0. Having start symbol #0 is also useful for additional carrier types which rely solely on the ePDCCH for control signaling. Finally, PCFICH detection requires CRS which may not be present in the new carrier type.
Proposal 3: The OFDM start symbol position is configured in a UE specific manner by RRC in the range between symbol #0 and #4.」（２葉２２行，３８行〜末行）
（［当審仮訳］：
３．　拡張ＣＣＨリソースの構成
（中略）
　ｅＰＤＣＣＨの開始シンボルは，ユースケースに応じてＰＤＣＣＨとｅＰＤＣＣＨの間で制御チャネルの使用率をバランスさせる手段を提供するため，シンボル＃０〜＃４の範囲で柔軟であるべきである。開始シンボルは，ＲＲＣを使用してシグナリングされたＵＥ固有のものであるべきである。すべてのＵＥがマクロ干渉なしで制御チャネルを受信できるＨｅｔＮｅｔシナリオの低電力ノードへの接続には，開始シンボル＃０（つまりＰＤＣＣＨのないキャリア上）を使用すると便利である。
　例えばＨｅｔＮｅｔセル範囲拡張ゾーンでは間違った値を示している可能性があるため，
開始シンボルがＰＣＦＩＣＨに基づいていないことが重要である
提案３：ＯＦＤＭ開始シンボル位置は，シンボル＃０〜＃４の間の範囲でＲＲＣによってＵＥ固有の方法で構成される。
　上記ア〜ウの記載及びこの分野における当業者の技術常識を考慮すると，
「ｅＰＤＣＣＨ開始ＯＦＤＭシンボルの位置は柔軟であってＯＦＤＭシンボル＃０〜＃４の範囲で構成でき，当該位置の表示はＰＣＦＩＣＨに基づかないようにする。」ことは周知技術であると認められる（以下，「周知技術２」という。）。
５　対比・判断 
　本願発明と引用発明とを対比すると，
　引用例３がＬＴＥ−Ａに関する３ＧＰＰの寄書であることに鑑みれば，引用発明の「ＵＥ」は，ＬＴＥ−Ａ通信システムにおけるユーザ装置であると解されるから，「基地局装置と通信する端末装置」といえる。
　引用発明の「ｅＰＣＦＩＣＨ」は明らかに物理チャネルであって，これを「第１の物理チャネル」と称することは任意である。また，引用発明のｅＰＣＦＩＣＨが示す「ｅＰＤＣＣＨリソースの位置」を「第１の報知情報」と称することも任意である。したがって，本願発明と引用発明とは，「第１の報知情報を伝送する第１の物理チャネルを受信」する点で共通する。
　本願発明の「拡張物理下りリンク制御チャネル」，「拡張物理下りリンク制御チャネル用共通探索領域」と，引用発明の「ｅＰＤＣＣＨ」，「ｅＣＳＳ」は，それぞれ表記が異なるのみであって差違はない。また，引用発明の「ＤＣＩ」はｅＰＤＣＣＨで送信される下りリンク制御情報であるから，引用発明の「ｅＣＳＳを探索してＤＣＩをモニタする」ことは，本願発明の「拡張物理下りリンク制御チャネル用共通探索領域内の拡張物理下りリンク制御チャネルをモニタ」することに相当する。
　本願発明の「前記拡張物理下りリンク制御チャネルのＯＦＤＭシンボルの開始位置である第１の開始位置」と，引用発明の「ｅＰＤＣＣＨリソースの位置」は，「前記拡張物理下りリンク制御チャネルの位置」といえるから，本願発明と引用発明は「前記拡張物理下りリンク制御チャネルの位置は，前記第１の報知情報により指示される」といえる点で共通する。
　したがって，本願発明と引用発明は，以下の点で一致し，また，相違する。
（一致点）
「　基地局装置と通信する端末装置であって，
　第１の報知情報を伝送する第１の物理チャネルを受信し，
　拡張物理下りリンク制御チャネル用共通探索領域内の拡張物理下りリンク制御チャネルをモニタし，
　前記拡張物理下りリンク制御チャネルの位置は，前記第１の報知情報により指示される，
　端末装置。」
（相違点１）　「第１の物理チャネル」に関し，本願発明は，「限定された帯域内に配置され」「前記第１の物理チャネルが配置される前記限定された帯域は，連続した帯域である」との発明特定事項を有しているのに対し，引用発明は当該事項を有していない点。
（相違点２）　「拡張物理下りリンク制御チャネル」に関し，本願発明は，「前記拡張物理下りリンク制御チャネルは，ページングに関する拡張物理下りリンク制御チャネルであり，」との発明特定事項を有しているのに対し，引用発明は当該事項を有していない点
（相違点３）　「拡張物理下りリンク制御チャネルの位置」について，本願発明は「前記拡張物理下りリンク制御チャネルのＯＦＤＭシンボルの開始位置である第１の開始位置」であるのに対し，引用発明は「ｅＰＤＣＣＨリソースの位置」と規定するのみである点。
　以下，上記各相違点について検討する。
（相違点１について）
　ＰＳＳ，ＳＳＳ，ＰＢＣＨといった情報については，セルのシステム帯域幅にかかわらず中心の連続した６ＰＲＢにて受信されることが当業者の技術常識であることに鑑みれば，ｅＰＣＦＩＣＨをこれらの情報と同様に中心の連続した６ＰＲＢに配置するようにすることは，格別困難なことではなく，必要に応じて適宜採用し得ることである。
　したがって，引用発明のｅＰＣＦＩＣＨを「限定された帯域内に配置され」「前記限定された帯域は，連続した帯域である」とすることは，当業者が必要に応じて適宜になし得ることにすぎない。
（相違点２について）
　周知技術１のとおり，「共通探索空間は，ページング，ランダムアクセス応答などのブロードキャストダウンリンク情報をスケジュールするために使用される。」ことは周知技術である。そして，引用発明は「ＣＳＳがｅＰＤＣＣＨを介して送信されるようにサポートされている」ものであり，ｅＰＤＣＣＨの共通探索空間が「ｅＣＳＳ」であるから，引用発明のｅＣＳＳをページングのために使用すること，すなわち，ｅＰＤＣＣＨをページング関する拡張物理下りリンク制御チャネルとすることは，当業者が容易になし得ることである。
（相違点３について）
　周知技術２のとおり「ｅＰＤＣＣＨ開始ＯＦＤＭシンボルの位置は柔軟であってＯＦＤＭシンボル＃０〜＃４の範囲で構成でき，当該位置の表示はＰＣＦＩＣＨに基づかないようにする。」ことは周知技術である。してみると，引用発明のｅＰＣＦＩＣＨが示す「ｅＰＤＣＣＨリソースの位置」を「ｅＰＤＣＣＨ開始ＯＦＤＭシンボルの位置」とすることは格別困難なことではなく，当業者が容易になし得ることである。
　したがって，本願発明は，引用発明及び周知技術１，２に基づいて，当業者が容易に想到し得るものである。
　そして，本願発明の作用効果も，引用発明及び周知技術１，２に基づいて当業者が予測できる範囲のものである。
６　むすび
　以上のとおり，本願発明は，引用発明及び周知技術１，２に基づいて当業者が容易に発明をすることができたものであるから，特許法第２９条第２項の規定により，特許を受けることができない。
　したがって，他の請求項に係る発明について検討するまでもなく，本願は拒絶すべきものである。
　よって，結論のとおり審決する。